(57)【要約】【課題】アンテナベース１０の取付ネジ１２に爪付きワッシャ１８を介してナット２６を確実に仮止めできるアンテナ取付装置を提供する。【解決手段】アンテナベース１０から下方に突出する取付ネジ１２にネジ軸方向にスリット１４を設け、このスリット１４の下端の少なくとも一部を塞ぐように係止部１６を設ける。爪付きワッシャ１８にスリット１４に側方から挿入できて係止部１６により下方への移動が規制される係止用舌片２０を設ける。爪付きワッシャ１８とナット２６をネジ軸回りに相対回転可能でネジ軸方向に分離しないように連結する。係止用舌片２０をスリット１４に側方から挿入して係止部１６に載置することで、取付ネジ１０にナット２６を簡単に仮止めでき、その後は、作業者が手を離してもナット２６が下方に脱落することがない。【選択図】  図１
2004193999.tif 000002
【特許請求の範囲】
【請求項１】
車体に穿設した取付孔に、アンテナベースから下方に突出する取付ネジを挿通し、下方から前記取付ネジにワッシャを嵌挿するとともにナットを螺合して、前記アンテナベースを前記車体に固定するアンテナ取付装置において、前記取付ネジにネジ軸方向にスリットを設けるとともに前記スリットの下端の少なくとも一部を塞ぐように係止部を配設し、前記ワッシャに前記スリットに側方から挿入できて前記係止部により下方への移動が規制される係止用舌片を設け、前記ワッシャと前記ナットを前記ネジ軸回りに相対回転可能で前記ネジ軸方向に分離しないように連結して構成したことを特徴とするアンテナ取付装置。
【請求項２】
請求項１記載のアンテナ取付装置において、前記係止部に前記ネジ軸方向に孔または凹部を設け、前記係止用舌片に前記孔または凹部に挿入係合する下方に突出した突部を設けて構成したことを特徴とするアンテナ取付装置。
【発明の詳細な説明】
【０００１】
【発明の属する技術分野】
本発明は、車体のルーフ等にアンテナベースを取り付けるアンテナ取付装置に関するものである。
【０００２】
【従来の技術】
自動車用アンテナ装置を車体のルーフ等に取り付ける従来の構造は、ルーフに穿設した取付孔に自動車用アンテナ装置のアンテナベースから下方に突出する取付ネジを挿通し、ルーフ等から下方に突出した取付ネジに、下方から爪付きワッシャを嵌挿しさらにナットを螺合して、固定するものである。そこで、作業性を良くするために、爪付きワッシャとナットをネジ軸回りに相対回転可能でしかもネジ軸方向に分離しないように連結することで、一体化されていた。さらに、作業性を向上する目的で、特許第２７５１１４６号にて、取付ネジに爪付きワッシャを介してナットを仮止めすることができ、この仮止め後は、作業者がナットから手を離しても取付ネジから脱落しないようにする技術も提案されている。この特許第２７５１１４６号にて提案された技術は、取付ネジにネジ軸方向にスリットを形成し、このスリットに圧入しまたは弾性変形して挿入し得る嵌合片を爪付きワッシャに設けたものである。そして、この爪付きワッシャにナットが連結されている。
【０００３】
【発明が解決しようとする課題】
上記、特許第２７５１１４６号で提案された技術は、取付ネジに爪付きワッシャを介してナットを仮止めでき、作業性が向上する。しかしながら、取付ネジに設けるスリットや嵌合片の幅に、製造の際の寸法バラツキがあると、仮止めのための圧入できなくなったり、仮止めによりナットを取付ネジに保持する弾力が弱くなって脱落する、などの可能性が考えられる。そこで、取付ネジのスリットや爪付きナットの嵌合片の幅は、寸法精度良く製造されなければならない。
【０００４】
本発明は、上述の従来技術の事情に鑑みれなされたもので、寸法精度を必要とせず、確実に取付ネジにワッシャを介してナットを仮止めすることのできるアンテナ取付装置を提供することを目的とする。
【０００５】
【課題を解決するための手段】
かかる目的を達成するために、本発明のアンテナ取付装置は、車体に穿設した取付孔に、アンテナベースから下方に突出する取付ネジを挿通し、下方から前記取付ネジにワッシャを嵌挿するとともにナットを螺合して、前記アンテナベースを前記車体に固定するアンテナ取付装置において、前記取付ネジにネジ軸方向にスリットを設けるとともに前記スリットの下端の少なくとも一部を塞ぐように係止部を配設し、前記ワッシャに前記スリットに側方から挿入できて前記係止部により下方への移動が規制される係止用舌片を設け、前記ワッシャと前記ナットを前記ネジ軸回りに相対回転可能で前記ネジ軸方向に分離しないように連結して構成されている。
【０００６】
また、前記係止部に前記ネジ軸方向に孔または凹部を設け、前記係止用舌片に前記孔または凹部に挿入係合する下方に突出した突部を設けて構成しても良い。
【０００７】
【発明の実施の形態】
以下、本発明の第１実施例を図１ないし図６を参照して説明する。図１は、本発明のアンテナ取付装置の第１実施例で、固定前の一部切り欠き縦断面図である。図２は、第１実施例の固定された外観図である。図３は、アンテナベースを示し、（ａ）は縦断面図、（ｂ）は底面図である。図４は、爪付きワッシャを示し、（ａ）は縦断面図、（ｂ）は底面図である。図５は、ナットを示し、（ａ）は縦断面図、（ｂ）底面図である。図６は、取付ネジに組み付け前の一部切り欠き拡大縦断面図である。
【０００８】
まず、図３に示すごとく、アンテナベース１０には下方に突出して取付ネジ１２が設けられる。そして、取付ネジ１２にネジ軸方向にスリット１４が設けられ、その下端でスリット１４を塞ぐように板状の係止部１６が設けられる。この係止部１６は、スリット１４の下端の開口を一部塞ぎ、または全部塞ぐいずれであっても良い。しかも、係止部１６の上面は、図３では、ネジ軸方向に対して略直交するように形成されているが、スリット１４の底側が低くなるように傾斜されていても良い。また、図４に示すごとく、爪付きワッシャ１８には、スリット１４に側方から挿入できるとともに係止部１６に先端部が当接して下方への移動が規制されるように係止用舌片２０が設けられている。なお、従来技術と同様に、爪付きワッシャ１８には、車のルーフ４０等に食い込んで固定しまたは／および電気的接続を得るための爪２２，２２…が上方に向けて設けられ、さらに後述するナット２６をネジ軸回りに相対回転可能であるとともにネジ軸方向に分離しないように連結するための連結用突起２４，２４…が設けられている。さらに、図５に示すごとく、ナット２６は、取付ネジ１２に螺合できる雌ネジ２８が刻設されるとともに上面にリング状リブ３０が設けられている。そして、図６に示すごとく、爪付きワッシャ１８の連結用突起２４，２４…内にナット２６のリング状リブ３０を挿入して、適宜にこれを外側にカシメることで、爪付きワッシャ１８とナット２６が、ネジ軸回りに相対回転可能でしかもネジ軸方向に分離しないように連結されて一体化される。
【０００９】
かかる構成における本発明のアンテナ取付装置の第１実施例の取り付け作業につき説明する。まず、図６に示すごとく、車のルーフ４０等に穿設された取付孔に、アンテナベース１０の取付ネジ１２を挿通した状態で、図１に示すごとく、ナット２６と一体化された爪付きワッシャ１８の係止用舌片２０を取付ネジ１２のスリット１４に側方から挿入し、さらに係止部１６に係止用舌片２０の先端部を載置する。すると、係止部１６により、係止用舌片２０の下方への移動が規制される。そこで、爪付きワッシャ１８の下方への移動が規制され、爪付きワッシャ１８と一体的に連結されたナット２６も下方への移動が規制される。もって、係止部１６に係止用舌片２０を載置して、取付ネジ１０にナット２６を仮止めした後は、作業者が手を離してもナット２６が下方に脱落することがない。しかも、仮止め保持する力は、係止部１６と係止用舌片２０の機械的強度によるものであり、寸法精度によって大きく影響されることがない。そこで、寸法精度を必要としない分だけ、部品の製造が容易である。そして、ナット２６を取付ネジ１２に締め付けることで、図２のごとく、アンテナベース１０は、ルーフ４０に確実に固定される。同時に、爪付きワッシャ１８の爪２２，２２がルーフ４０の裏面に確実に食い込んだ状態となる。なお、係止部１６と係止用舌片２０の機械的強度は、爪付きワッシャ１８およびナット２６の重量に充分に耐え得るだけの強度を有することは勿論である。
【００１０】
次に、本発明の第２実施例を図７を参照して説明する。図７は、本発明のアンテナ取付装置の第２実施例で、取付ネジに組み付け前の一部切り欠き拡大縦断面図である。図７において、図１ないし図６に示す部材と同じまたは均等なものには、同じ符号を付けて重複する説明を省略する。
【００１１】
図７に示す第２実施例で、図１ないし図６に示す第１実施例と相違するところは、以下の構造にある。まず、取付ネジ１２のスリット１４の下端を塞ぐ係止部１６に、スリット１４の底に近い所にネジ軸方向に孔３２が穿設される。そして、爪付きワッシャ１８の係止用舌片２０の先端はＬ字状に折り曲げられて下方に突出する突部３４が形成される。この突部３４は、孔３２に挿入係合できる寸法に形成される。
【００１２】
かかる構成の第２実施例において、取付ネジ１２のスリット１４に、爪付きワッシャ１８の係止用舌片２０を側方から挿入し、孔３２に突部３４が挿入係合するようにして、係止部１６に係止用舌片２０を載置する。第２実施例にあっては、取付ネジ１２からワッシャ２６が下方に脱落しないだけでなく、挿入と反対方向の側方にずれてスリット１４から係止用舌片２０が抜け出るようなこともない。もって、より確実に取付ネジ１２にナット２６を仮止めすることができ、より作業性の向上が図れる。
【００１３】
なお、スリット１４の下端の開口を一部塞ぎまたは全部塞ぐ係止部１６は、これに載置される係止用舌片２０の先端部が下方に脱落するのを規制できれば良く、係止部１６に円弧状や山状や階段状の凹部または凸部を形成し、係止用舌片２０にこれに対応して係合し得る凸部または凹部を形成しても良い。そこで、第２実施例において、係止部１６に設けた孔３２に代えて凹部であっても良く、またスリット１４の底側が低い階段状などであっても良い。上記実施例では、取付ネジ１２を爪付きワッシャ１８を介してルーフ４０に電気的接続させるために爪付きワッシャ１８を用いているが、電気的接続を必要としないならば、爪付きでないワッシャを用いても良い。
【００１４】
【発明の効果】
以上説明したように本発明のアンテナ取付装置は構成されているので、以下のごとき格別な効果を奏する。
【００１５】
請求項１記載のアンテナ取付装置にあっては、取付ネジに設けたスリットの下端の係止部によって、爪付きワッシャに設けた係止用舌片が下方への移動を規制され、もってナットが取付ネジに簡単な操作で仮止めされる。しかも、係止部に係止用舌片を載置して下方への脱落を阻止するので、寸法精度を必要とせず、部品の製造が容易である。特に、アンテナベースが鋳造される場合には、スリットの幅の寸法にバラツキが生じ易く、寸法精度を要求しない本発明の構造は、量産に好適である。
【００１６】
請求項２記載のアンテナ装置にあっては、取付ネジに組み付けられたナットは、下方に脱落しないだけでなく側方へずれることもなく、より確実な仮止めがなし得る。
【図面の簡単な説明】
【図１】本発明のアンテナ取付装置の第１実施例で、固定前の一部切り欠き縦断面図である。
【図２】第１実施例の固定された外観図である。
【図３】アンテナベースを示し、（ａ）は縦断面図、（ｂ）は底面図である。
【図４】爪付きワッシャを示し、（ａ）は縦断面図、（ｂ）は底面図である。
【図５】ナットを示し、（ａ）は縦断面図、（ｂ）底面図である。
【図６】取付ネジに組み付け前の一部切り欠き拡大縦断面図である。
【図７】本発明のアンテナ取付装置の第２実施例で、取付ネジに組み付け前の一部切り欠き拡大縦断面図である。
【符号の説明】
１０  アンテナベース
１２  取付ネジ
１４  スリット
１６  係止部
１８  爪付きワッシャ
２０  係止用舌片
２２  爪
２４  連結用突起
２６  ナット
２８  雌ネジ
３０  リング状リブ
３２  孔
３４  突部
４０  ルーフ
【図１】
2004193999.tif 000003
【図２】
2004193999.tif 000004
【図３】
2004193999.tif 000005
【図４】
2004193999.tif 000006
【図５】
2004193999.tif 000007
【図６】
2004193999.tif 000008
【図７】
2004193999.tif 000009